(57)【要約】【課題】吹出口がパネルの辺部または縁部の一部に沿ってのみ設けられている既存の空気調和機に対し、調和空気を室内全体に均等に行き渡らせることを促進することができる、調和空気の吹出装置の提供。【解決手段】調和空気の吹出装置２１は、調和空気を収容する収容室２９を内部に有する箱体２３と、箱体の上部に設けられ収容室に連通した少なくとも二つの受入口２５，２５と、箱体の底部または側部に設けられ、屈曲または湾曲したエリアで調和空気の吹出しが行われる吹出口手段２７とを備える。【選択図】図２
2012202669.tif 000002
【特許請求の範囲】
【請求項１】
調和空気を収容する収容室を内部に有する箱体と、
前記箱体の上部に設けられ前記収容室に連通した受入口と、
前記箱体の底部または側部に設けられ、屈曲または湾曲したエリアで調和空気の吹出しが行われる吹出口手段と
を備えた調和空気の吹出装置。
【請求項２】
前記受入口は、少なくとも二つ設けられている請求項１の調和空気の吹出装置。
【請求項３】
前記箱体は二つの先端部を有する平面視Ｌ字状をなしており、
前記受入口は、前記二つの先端部のそれぞれに配置されており、
前記吹出口手段は、Ｌ字状に延びる一つの吹出口によって構成されている
請求項２の調和空気の吹出装置。
【請求項４】
前記受入口には、スライド式のシャッタ板が設けられており、該受入口は、前記シャッタ板の開閉に応じて開口面積が変更される、請求項１乃至３の何れか一項の調和空気の吹出装置。
【発明の詳細な説明】
【技術分野】
【０００１】
本発明は、空気調和機の吹出口に設けられて調和空気を所望の領域に導いて吹出させる、調和空気の吹出装置に関するものである。
【背景技術】
【０００２】
特許文献１には、天井埋込型空気調和機が開示されている。この装置は、天井の裏側に配置され主として熱交換器や送風機等を収容した空気調和機本体と、天井の表面に露出して配置された平面的にみて正方形の化粧パネルとを備えている。そして、この化粧パネルは、上記正方形の四辺の位置それぞれに、各辺に沿って延びる直線的な吹出口を有しており、それら吹出口により四方向から吹出される調和空気によって、対象の室内雰囲気を調整していた。
【先行技術文献】
【特許文献】
【０００３】
【特許文献１】特開２０１１−２７３３６号公報
【発明の概要】
【発明が解決しようとする課題】
【０００４】
しかしながら、上述した従来の空気調和機では、化粧パネルの四辺に当たる四方向だけから調和空気が吹き出すだけなので、調和空気が室内全体に均等に行き渡りにくい問題がある。また、かかる問題に対し、円環状に開口する吹出口を供えた空気調和機を新たに設置しなおすことも可能であるが、その場合、あまりにもコスト負担が大きく、現実的ではない。
【０００５】
本発明は、上記に鑑みてなされたものであり、吹出口がパネルの辺部または縁部の一部に沿ってのみ設けられている既存の空気調和機に対し、調和空気を室内全体に均等に行き渡らせることを促進することができる、調和空気の吹出装置を提供することを目的とする。
【課題を解決するための手段】
【０００６】
上述した目的を達成するため、本発明の調和空気の吹出装置は、調和空気を収容する収容室を内部に有する箱体と、前記箱体の上部に設けられ前記収容室に連通した受入口と、前記箱体の底部または側部に設けられ、屈曲または湾曲したエリアで調和空気の吹出しが行われる吹出口手段とを備える。
【発明の効果】
【０００７】
本発明の調和空気の吹出装置によれば、吹出口がパネルの辺部または縁部の一部に沿ってのみ設けられている既存の空気調和機に対し、調和空気を室内全体に均等に行き渡らせることを促進することができる。
【図面の簡単な説明】
【０００８】
【図１】本発明の実施の形態１の吹出装置を天井埋込型空気調和機に適用した状態を示す図である。
【図２】本実施の形態１に係る調和空気の吹出装置の全体を示す斜視図である。
【図３】（ａ）及び（ｂ）は、調和空気の吹出装置の上面及び下面を示す図である。
【図４】本発明の実施の形態２に関する図１と同態様の図である。
【図５】本発明の実施の形態２に関する図２と同態様の図である。
【図６】本発明の実施の形態３に関する図３の（ａ）と同態様の図である。
【発明を実施するための形態】
【０００９】
以下、本発明に係る調和空気の吹出装置の実施の形態について添付図面に基づいて説明する。なお、図中、同一符号は同一又は対応部分を示すものとする。
【００１０】
実施の形態１．
図１は、本実施の形態１の吹出装置を天井埋込型空気調和機に適用した状態を示し、（ａ）は横から見た状態を、（ｂ）は下から見上げた状態を示す。天井埋込型空気調和機１は、空気調和機本体３と、化粧パネル５とを備えている。
【００１１】
空気調和機本体３は、天井７の裏側に配置され主として熱交換器や送風機等を収容している。化粧パネル５は、天井７の表側に露出しており、平面的にみて正方形の盤状の部分である。化粧パネル５には、四つの吹出口９が設けられている。四つの吹出口９は、化粧パネル５の正方形の四辺の位置それぞれに部分的に、各辺に沿うようにして直線的に延びている。天井埋込型空気調和機１では、吹出口９は化粧パネル５の辺部に沿ってのみ設けられている。
【００１２】
調和空気の吹出装置２１は、上記化粧パネル５の下面であって、化粧パネル５の正方形のコーナー部に取り付けられる。なお、図１は、吹出装置が取り付けられた状態と、もともとの化粧パネルの構成との、双方を図示するように配慮し、吹出装置は一つだけ取り付けた態様を示しているが、実際には、四つ全てのコーナーに吹出装置が取り付けられて実施されることとなるであろう。
【００１３】
次に、調和空気の吹出装置の詳細について説明する。図２は、本実施の形態１に係る調和空気の吹出装置の全体を示す斜視図である。図３の（ａ）及び（ｂ）は、調和空気の吹出装置の上面及び下面を示す図である。
【００１４】
調和空気の吹出装置２１は、箱体２３と、二つの受入口２５，２５と、吹出口手段２７とを備える。箱体２３は、その内部に、調和空気を収容する収容室２９を有している。箱体２３は、二つの先端部３１，３１を有する平面視Ｌ字状の形態を有しており、上面３３、下面３５、内側側面３７、外側側面３９、一対の端面４１，４１で構成されている。
【００１５】
上面３３及び下面３５は、平面視Ｌ字状を有しており、相互に平行に配置されている。また、内側側面３７、外側側面３９、一対の端面４１，４１は、上面３３及び下面３５の間で、それらと直角に延びている。内側側面３７及び外側側面３９は、平面視Ｌ字状に延びており、それぞれ上面３３及び下面３５のＬ字の屈曲における内側及び外側に位置している。前述の収容室２９は、これら上面３３、下面３５、内側側面３７、外側側面３９、一対の端面４１，４１によって画定されている。
【００１６】
受入口２５，２５は、箱体２３の上部、すなわち、上面３３における対応する先端部３１，３１に形成されており、収容室２９に連通している。
【００１７】
また、吹出口手段２７は、箱体２３の底部すなわち下面３５に形成されている。吹出口手段２７は、屈曲または湾曲したエリアで収容室２９内の調和空気の吹出しを行うことができるものであり、本実施の形態で具体的には、Ｌ字状に屈曲して延びる一つの吹出口４３で構成されている。
【００１８】
次に、上述した調和空気の吹出装置の作用について説明する。四つの調和空気の吹出装置２１は、図１に例示されるように、化粧パネル５の正方形の対応するコーナー部に取り付けられる。各コーナー部では、受入口２５，２５の一方が、隣り合う一対の吹出口９の一方にあてがわれ、受入口２５，２５の他方が、隣り合う一対の吹出口９の他方にあてがわれる。天井埋込型空気調和機１が稼動し、吹出口９のそれぞれから放出された調和空気は、調和空気の吹出装置２１で覆われていない部分では、そのまま室内に吹出されるが、調和空気の吹出装置２１で覆われた部分では、まず、受入口２５，２５を介して吹出装置２１内の収容室２９に流れる。そして、収容室２９内に流入した調和空気は、Ｌ字状に延びる吹出口４３から室内へと吹出される。すなわち、各辺の中央部では、吹出口９から、二辺の間のコーナー部それぞれでは、吹出口４３から調和空気が吹出され、天井埋込型空気調和機１の全体としてみれば、３６０度全周から調和空気が吹出されている態様と同様となり、調和空気を室内全体に均等に行き渡らせることを促すことができる。
【００１９】
以上説明したように、本実施の形態の調和空気の吹出装置によれば、空気調和機を新たに設置しなおすのではなく、吹出口がパネルの辺部または縁部の一部に沿ってのみ設けられている既存の空気調和機を用いながら、調和空気を室内全体に均等に行き渡らせることを実現することができる。
【００２０】
実施の形態２．
図４及び図５に基づいて、本実施の形態２に係る調和空気の吹出装置について説明する。図４及び図５はそれぞれ、本実施の形態２に関する図１及び図２と同態様の図である。なお、本実施の形態２は、以下に説明する部分を除いては、上記実施の形態１と同様であるものとする。
【００２１】
本実施の形態の調和空気の吹出装置１２１は、箱体２３の側部すなわち外側側面３９に形成された吹出口手段１２７を備えている。吹出口手段１２７も、屈曲または湾曲したエリアで収容室２９内の調和空気の吹出しを行うことができるものであり、本実施の形態２で具体的には、Ｌ字状に屈曲して開口する一つの吹出口１４３で構成されている。
【００２２】
本実施の形態の吹出装置１２１によっても、化粧パネル５の各辺の中央部では、吹出口９から、二辺の間のコーナー部それぞれでは、吹出口１４３から調和空気が吹出され、天井埋込型空気調和機１の全体としてみれば、３６０度全周から調和空気が吹出されている態様と同様となり、調和空気を室内全体に均等に行き渡らせることを促すことができる。よって、吹出口がパネルの辺部または縁部の一部に沿ってのみ設けられている既存の空気調和機を用いながら、調和空気を室内全体に均等に行き渡らせることを実現することができる。
【００２３】
実施の形態３．
図６に基づいて、本実施の形態３に係る調和空気の吹出装置について説明する。図６は、本実施の形態３に関する図３の（ａ）と同態様の図である。
【００２４】
本実施の形態の調和空気の吹出装置２２１もまた、箱体２３の上面３３に一対の受入口２５，２５を有している。一対の受入口２５，２５は、上面３３における対応する先端部３１，３１に形成され、収容室２９に連通している。さらに、受入口２５，２５のそれぞれには、スライド式のシャッタ板２４５が設けられている。受入口２５，２５のそれぞれは、シャッタ板２４５の開閉量に応じて開口面積が変更されるようになっている。なお、図６では、説明の理解を助けるため、一対のシャッタ板２４５の開閉量（開口面積）をあえて異ならせて図示している。
【００２５】
また、図示省略されているが、本実施の形態の調和空気の吹出装置２２１にも、屈曲または湾曲したエリアで収容室２９内の調和空気の吹出しを行うことができる吹出口手段が設けられているが、その具体的態様は、実施の形態１の上記吹出口４３でもよいし、実施の形態２の上記吹出口１４３でもよい。
【００２６】
以上のように構成された本実施の形態３の吹出装置２２１によっても、化粧パネル５の各辺の中央部では、吹出口９から、二辺の間のコーナー部それぞれでは、吹出口４３又は１４３から調和空気が吹出され、天井埋込型空気調和機１の全体としてみれば、３６０度全周から調和空気が吹出されている態様と同様となり、調和空気を室内全体に均等に行き渡らせることを促すことができる。よって、吹出口がパネルの辺部または縁部の一部に沿ってのみ設けられている既存の空気調和機を用いながら、調和空気を室内全体に均等に行き渡らせることを実現することができる。
【００２７】
さらに加えて、本実施の形態３では、受入口２５，２５の調和空気流入量を調整することができるので、もともとある吹出口９における吹出装置２２１で覆われていない部分からの吹出風量と、新たに設けられた吹出装置２２１の吹出口４３又は１４３からの吹出風量との関係を所望に調整することができる。これは、特に、当初から四辺と四コーナーとによる３６０度全周から吹出しが行える天井埋込型空気調和機においては、直線形の吹出口とコーナー形の吹出口とでは、風の偏り等により吹出し力の差が生じうるところ、本実施の形態であれば、受入口２５，２５の調和空気流入量を調整することで、直線形とコーナー形とを含む全周方向にわたって、できる限り均一な吹出しを実現することができる。しかも、かかる調整は、全周吹出しの実現に重要な吹出装置の吹出口の開口状態は変化させることなく実現できる利点もある。
【００２８】
以上、好ましい実施の形態を参照して本発明の内容を具体的に説明したが、本発明の基本的技術思想及び教示に基づいて、当業者であれば、種々の改変態様を採り得ることは自明である。
【００２９】
箱体は、Ｌ字状以外の形態で実施することもできる。
【００３０】
受入口の数や位置は、化粧パネルの吹出口から調和空気を受け取ることができれば、特に限定されるものではない。
【００３１】
吹出口手段は、一つの吹出口で構成されることには限定されず、屈曲または湾曲したエリアで調和空気の吹出しが行えればよく、よって、Ｌ字状または円弧状に屈曲または湾曲した態様で並べられた多数の吹出口で構成することもできる。また、湾曲の一例であるが、一つの吹出口が円弧状に形成されていてもよい。
【００３２】
また、吹出口手段としての吹出口には、ルーバ等の風向変更・調整機構が設けられていてもよい。
【００３３】
また、化粧パネルは、四角形には限定されるものではない。よって、例えば、三角形や五角形以上の多角形、あるいは、円形や楕円形等であってもよい。そのような多角形・円形等のパネルの辺部または縁部の一部に沿って当該辺部または縁部に部分的に吹出口が設けられている既存の空気調和機に対しも、本発明は提供でき、上述した有効な作用効果が得られる。
【符号の説明】
【００３４】
２１，１２１，２２１  調和空気の吹出装置、２３  箱体、２５  受入口、２７，１２７  吹出口手段、２９  収容室、３１  先端部、４３，１４３  吹出口、２４５  シャッタ板。
【図１】
2012202669.tif 000003
【図２】
2012202669.tif 000004
【図３】
2012202669.tif 000005
【図４】
2012202669.tif 000006
【図５】
2012202669.tif 000007
【図６】
2012202669.tif 000008